(57)【要約】【課題】施工が容易であるとともに寸法が異なる様々な種類の埋設物に適用可能であり、且つ接地抵抗を十分に下げることが可能な接地電極を提供する。【解決手段】線状体を編みこむことにより形成され、埋設物を包周する袋状の本体２と、埋設物の寸法に合わせて開口部の寸法を調整するためのワイヤ３を設ける。【選択図】図１
2005293932.tif 000002
【特許請求の範囲】
【請求項１】
導電性を有し、埋設物に設けられる接地電極であって、
開口部を有し、前記埋設物を包周する袋状の本体と、
前記埋設物の寸法に合わせて前記開口部の寸法を調整するための調整手段と
を備えることを特徴とする接地電極。
【請求項２】
前記本体は、線状体を編みこむことにより形成されていることを特徴とする請求項１に記載の接地電極。
【請求項３】
前記本体の開口部側の端部には、該開口部の周方向に沿って空間部が形成されており、
前記調整手段は、前記空間部内に配置され、その先端部が前記本体の外部に露出したワイヤを備える
ことを特徴とする請求項１又は２に記載の接地電極。
【発明の詳細な説明】
【技術分野】
【０００１】
本発明は、電柱等の埋設物に設けられる接地電極に関する。
【背景技術】
【０００２】
通常、電柱等を埋設するにあたっては、接地をとるための接地電極が用いられる（例えば、特許文献１参照）。
【０００３】
以下、図３を参照しつつ、上記の接地電極について埋設物が電柱である場合を例として説明する。  
図示するとおり、電柱１００を地面１０１から地中に埋設するにあたっては、このための縦穴１０２が設けられ、これに電柱１００が収容される。
【０００４】
また、接地電極には、様々な種類が存在し、この例としては、図３（ａ）に示す接地電極１０３や図３（ｂ）に示す接地電極１０４が挙げられる。
【０００５】
上記の接地電極１０３は、帯状であり、電柱１００下部の外周面に巻き付けられる。  
また、上記の接地電極１０４は、円盤状であり、電柱１００の底面に敷設される。
【特許文献１】特開２００２−１５８０４９号公報
【発明の開示】
【発明が解決しようとする課題】
【０００６】
しかしながら、上記の接地電極に関しては、以下に示す解決すべき課題が存在する。  
まず、上記の接地電極１０４は、前記のとおり円盤状であり、電柱１００の直径、換言すれば底面の面積に合わせてその面積が決定されている。したがって、電極自体の表面積が狭く、接地抵抗が十分に下がらない場合がある。
【０００７】
また、前記のとおり、電極自体の面積は、電柱１００の直径により決定されるため、直径が異なる複数種類の電柱に対応できず、電柱の種類ごとに直径が異なる電極を用意する必要がある。
【０００８】
一方、上記の接地電極１０３は、前記のとおり帯状であるため、電極自体の表面積が大であり、接地抵抗を十分に下げることができる。しかし、電極自体のサイズが大であるため、電柱１００への巻き付け作業には煩雑さが伴う。
【０００９】
このような事情に鑑み本発明は、施工が容易であるとともに寸法が異なる様々な種類の埋設物に適用可能であり、且つ接地抵抗を十分に下げることが可能な接地電極を提供することを目的とする。
【課題を解決するための手段】
【００１０】
請求項１に記載の本発明は、導電性を有し、埋設物に設けられる接地電極であって、開口部を有し、埋設物を包周する袋状の本体と、埋設物の寸法に合わせて開口部の寸法を調整するための調整手段とを備えることを要旨とする。
【００１１】
請求項２に記載の本発明は、請求項１に記載の発明において、本体は、線状体を編みこむことにより形成されていることを要旨とする。
【００１２】
請求項３に記載の本発明は、請求項１又は２に記載の発明において、本体の開口部側の端部には、開口部の周方向に沿って空間部が形成されており、調整手段は、空間部内に配置され、その先端部が本体の外部に露出したワイヤを備えることを要旨とする。
【発明の効果】
【００１３】
本発明の接地電極は、開口部を有し、埋設物を包周する袋状の本体と、埋設物の寸法に合わせて開口部の寸法を調整するための調整手段とを備えるため、施工が容易となり、電極自体の表面積を十分に確保でき、寸法が異なる様々な種類の埋設物に適用できる。
【００１４】
また、本体は、線状体を編みこむことにより形成されているため、電極自体の表面積が増大される。
【００１５】
また、本体の開口部側の端部には、開口部の周方向に沿って空間部が形成されており、調整手段は、空間部内に配置され、その先端部が外部に露出したワイヤを備えるため、このワイヤを引き、開口部を埋設物の寸法に合わせて縮径させることにより、寸法が異なる様々な種類の埋設物に適用できる。
【００１６】
以上の点から、施工が容易であるとともに寸法が異なる様々な種類の埋設物に適用可能であり、且つ接地抵抗を十分に下げることが可能な接地電極を提供できる。
【発明を実施するための最良の形態】
【００１７】
以下、図面を用いつつ本発明の接地電極についての説明を行う。  
なお、以下の実施例は、あくまでも本発明の説明のためのものであり、本発明の範囲を制限するものではない。したがって、当業者であれば、これらの各要素又は全要素を含んだ各種の実施例を採用することが可能であるが、これらの実施例も本発明の範囲に含まれる。  
また、以下の実施例を説明するための全図において、同一の要素には同一の符号を付し、これに関する反復説明は省略する。
【実施例】
【００１８】
図１は、本発明の一実施例に係る接地電極１の斜視図である。  
接地電極１は、本体２とワイヤ３からなる。
【００１９】
本体２は、導電性を有する材料により作製されており、鉛直方向側に開口部を有し、図３に示した電柱１００下部の底面及び外周面を包周するようその形状が定められている。  換言すれば、本体２の形状は、上面が開口された円筒形、より具体的にいえば袋状であり、その直径は、電柱１００の直径よりも大となるよう調整されている。
【００２０】
なお、本実施例においては、本体２の直径を４２０ｍｍ、高さを１８００ｍｍとしている。このため直径が２５０ｍｍから４００ｍｍの電柱に適用可能である。
【００２１】
また、本体２は、導電性を有する線状体を編みこむことにより袋状に形成されており、この線状体には、断面形状が円形のものの他に四角形のもの、つまり帯状のものも含まれる。
【００２２】
また、本実施例においては、断面形状が円形のものを用いた場合を示しており、その直径は、０．２９ｍｍであり、また、帯状のものを用いる場合、その断面のサイズは、縦１ｍｍ、横６ｍｍに調整される。
【００２３】
また、上記の導電性を有する材料としては、銅、すずめっき銅、ステンレス等の金属やカーボン等が用いられる。
【００２４】
また、本体２の開口部の端部は外側へ折り返され、折り返された部分の先端と本体２の一部とを溶接することにより、開口部の周方向に沿って空間部が形成されている。
【００２５】
ワイヤ３は、本体２と同じく導電性を有する材料により作製されており、上記の空間部内に配置され、その先端部は本体２の外部に露出されており、このワイヤ３を引くことにより、開口部が縮径され、その直径が電柱１００の直径と同じとなるように調整される。つまり、接地電極１は、いうなれば巾着袋と同様の構造を有する。  
なお、上記のワイヤ３は、請求項に記載の調整手段に含まれる。
【００２６】
次に、図２を参照しつつ、上記の接地電極１の電柱１００への取り付け方法について説明する。  
まず、図２（ａ）に示すように、接地電極１が電柱１００の下側に設置され、次に、図２（ｂ）に示すように、電柱１００の下部が本体２内に収容される。
【００２７】
電柱１００の下部が接地電極１内に収容されると、図２（ｃ）に示すように、ワイヤ３が引かれ、本体２の開口部が縮径され、その直径が電柱１００の直径と同一となる。
【００２８】
本体２の開口部が縮径されると、図２（ｄ）に示すように、ワイヤ３の余剰分が本体２の外周面上に巻き重ねられ、巻き重ねられたワイヤ３の端部がワイヤ固定具４により本体２の外周面上に固定される。
【００２９】
また、この際、本体２の余剰分もワイヤ３により固定され、本体２の直径と電柱１００の直径がほぼ同一となる。
【００３０】
電柱１００に接地電極１が装着されると、これに図示しない接地線が接続され、図３に示した縦穴１０２に電柱１００が収容され、次いで、この縦穴１０２が埋められ、電柱１００の埋設が完了する。
【００３１】
なお、本実施例においては、上記のワイヤ固定具４が導電性を有する材料により作製された粘着テープである場合を示している。
【００３２】
以上のとおり、本発明の接地電極１は、電柱１００下部の底面及び外周面を包周する袋状の本体２を備えるため、電極自体の表面積を十分に確保でき、接地抵抗を大幅に低減することができる。
【００３３】
また、本体２は、袋状であるため、電柱１００に装着する際に煩雑さが伴わない。
【００３４】
また、電柱１００の寸法に合わせて開口部の寸法を調整するためのワイヤ３を備えるため、施工が容易となり、直径が異なる様々な種類の電柱に適用できる。
【００３５】
また、本体２は、導電性を有する線状体を編みこむことにより形成されているため、接地電極１自体の表面積が増大され、接地抵抗を低減することができる。
【００３６】
また、ワイヤ３を本体２の外周面上に巻きつけることにより、接地電極１自体の表面積が増大され、接地抵抗を低減することができる。
【００３７】
また、本体２の余剰分をワイヤ３により固定し、本体２の直径と電柱１００の直径をほぼ同一とするため埋設作業の支障とならない。
【００３８】
なお、上記の実施例においては、接地電極１が電柱１００に装着される場合を示したが、これに限定されず、アンテナの基部等を含むあらゆる埋設物に適用可能である。  
この際、本体２の寸法、形状等は、埋設物の寸法、形状等に合わせて調整される。
【００３９】
また、上記の実施例においては、本体２が導電性を有する線状体を編みこむことにより形成されている場合を示したが、これに限定されず、導電性及び柔軟性を有する薄板等により形成してもよい。
【００４０】
また、上記の実施例においては、調整手段がワイヤ３である場合を示したが、これに限定されず、ワイヤ３に代えて、本体２の外周面上にベルトと、これを固定する止め具とを設け、これらにより、開口部を縮径する構成としてもよい。
【００４１】
また、上記の実施例においては、ワイヤ固定具４により巻き重ねられたワイヤ３の端部が本体２の外周面上に固定される場合を示したが、これに限定されず、ワイヤ３の端部を本体２の外周面上に溶接してもよい。
【図面の簡単な説明】
【００４２】
【図１】本発明の接地電極の斜視図である。
【図２】図１の接地電極の取り付け方法を示す図である。
【図３】従来の接地電極を示す図である。
【符号の説明】
【００４３】
１    接地電極
２    本体
３    ワイヤ
４    ワイヤ固定具
１００    電柱
１０１    地面
１０２    縦穴
１０３、１０４    従来の接地電極
【図１】
2005293932.tif 000003
【図２】
2005293932.tif 000004
【図３】
2005293932.tif 000005